(57)【要約】【課題】廃水が透過液に浸透することを確実に阻止することを保証するフィルタ装置を提供すること。【解決手段】未浄化の液体、特に廃水（３）を含むコンテナー（２）内のフィルタ装置であり、廃水を浄化するために、幾つかのフィルタ素子（４）が相互に離間して、中空シャフト（５）上に回転可能に支持されて、円形又は多角形状に配置されている。フィルタ素子（４）は、中空シャフト（５）を通して、固定のパイプライン（７）を経由してコンテナー（２）の外に、透過液（１６）として浄化された液体を取り除くために、中空シャフト（５）に接続されている。回転する中空シャフト（５）は、少なくとも２つの封止素子（１７、１８）によって透過液（１６）から廃水（３）を分離する。また、廃水（３）と透過液（１６）とを分離するため、封止素子（１７、１８）の間に阻止媒体が配置される。【選択図】図１
2007105726.tif 000002
【特許請求の範囲】
【請求項１】
未浄化の汚染された液体、特に廃水（３）を含むコンテナー（２）内に含まれ、回転可能に支持された中空シャフト（５）上に、円形又は多角形状に配置され、相互に離間した幾つかのフィルタ素子（４）から成り、該フィルタ素子（４）が、透過液（１６）として浄化された液体を、固定パイプライン（７）を経由して前記コンテナー（２）から前記中空シャフト（５）を通して取り除くために前記中空シャフト（５）に接続されている、前記液体を浄化するためのフィルタ装置において、
前記回転する中空シャフト（５）は、少なくとも２つの封止素子（１７、１８）によって前記浄化された液体（１６）から前記未浄化の液体（３）を分離し、前記未浄化の液体（３）と前記浄化された液体（１６）とを分離するための前記封止素子（１７、１８）の間には、媒体が配置されていることを特徴とするフィルタ装置。
【請求項２】
前記媒体は、液体又は気体であることを特徴とする請求項１に記載のフィルタ装置。
【請求項３】
前記回転する中空シャフト（５）と前記固定パイプライン（９）との間の遷移点に、封止された排水箱（１４）が設置され、該排水箱（１４）は、前記未浄化の液体の領域から前記浄化された液体の領域を分離することを特徴とする請求項１又は２に記載のフィルタ装置。
【請求項４】
前記排水箱（１４）は、前記コンテナー（２）内に設置されていることを特徴とする請求項３に記載のフィルタ装置。
【請求項５】
前記中空シャフト（５）は、前記コンテナー（２）から前記透過液（１６）を取り除くための、軸方向の開口部を有することを特徴とする請求項１〜４の何れか１項に記載のフィルタ装置。
【請求項６】
前記中空シャフト（５）は、固定接続部分、特にフランジ（１５）に、若しくは前記コンテナー（２）の壁の接続部分に導入されることを特徴とする請求項１〜５の何れか１項に記載のフィルタ装置。
【請求項７】
前記中空シャフト（５）と前記封止素子（１７、１８）との間に、摩耗スリーブ（２２）が配置されていること特徴とする請求項１〜６の何れか１項に記載のフィルタ装置。
【請求項８】
前記中空シャフト（５）と前記接続部分とは、半径方向及び／又は軸方向の封止により、互いに回転できるように接続されていることを特徴とする請求項６に記載のフィルタ装置。
【請求項９】
前記中空シャフト（５）は、ころ軸受け及び／又は摩擦ベアリングを有するベアリングユニット（１２、１３）に支持されていることを特徴とする請求項１〜８の何れか１項に記載のフィルタ装置。
【請求項１０】
前記ベアリングユニット（１２）は、前記浄化された及び未浄化の液体（３、１６）に対して、前記封止素子（１７、１８）、特に封止リングにより封止され得ることを特徴とする請求項９に記載のフィルタ装置。
【請求項１１】
前記排水箱（１４）内の前記ベアリングユニット（１２）は、前記コンテナー（２）に乾燥した状態で配置されることを特徴とする請求項９又は１０に記載のフィルタ装置。
【請求項１２】
前記中空シャフト（５）と前記接続部分とは、前記排水箱（１４）内で、互いに導入されることを特徴とする請求項６又は８に記載のフィルタ装置。
【請求項１３】
前記封止素子（１７、１８）の少なくとも一つに、特に前記封止素子（１７、１８）の２つの前記封止リングの間に、前記浄化された及び未浄化の液体（３、１６）からの媒体を遮断するために、遮断媒体としてグリース室又は液体室を配置したことを特徴とする請求項１０に記載のフィルタ装置。
【請求項１４】
前記遮断媒体は、前記廃水（３）又は前記透過液（１６）に対して、超過圧力を有していることを特徴とする請求項１３に記載のフィルタ装置。
【請求項１５】
前記遮断媒体は、前記封止素子（１７、１８）と前記摩耗スリーブ（２２）との間で、潤滑媒体としても機能し得ることを特徴とする請求項１３又は１４に記載のフィルタ装置。
【請求項１６】
前記封止素子（１７、１８）の漏れを検出するために、前記遮断媒体の量又は圧力を測定するセンサ（２０）が備えられていることを特徴とする請求項１３〜１５の何れか１項に記載のフィルタ装置。
【請求項１７】
前記排水箱（１４）に水が入ったことを検出するために、前記排水箱（１４）にセンサを配置したことを特徴とする請求項３又は４に記載のフィルタ装置。
【請求項１８】
前記廃排水箱（１４）に、入った液体を取り除くための、吸引除去装置（２１）を配置したことを特徴とする請求項３、４又は１７に記載のフィルタ装置。
【請求項１９】
前記フィルタ装置（１）は、チェーン又はベルト駆動装置（８、９）により駆動されることを特徴とする請求項１〜１８の何れか１項に記載のフィルタ装置。
【請求項２０】
前記フィルタ装置（１）は、前記チューエン駆動又は前記ベルト駆動装置（８、９）の領域で摩擦ベアリング（１３）によって、前記中空シャフト（５）で支持されていることを特徴とする請求項１９に記載のフィルタ装置。
【請求項２１】
前記中空シャフト（５）は、２つの分離した室（５’、５’’）を有し、前記透過液（１６）は、最初の室（５’）に導かれ、前記第二の室（５’’）には、前記フィルタ素子（４）を洗浄するための、濯ぎ媒体を有するクリーニング装置が配置されていることを特徴とする請求項１〜２０の何れか１項に記載のフィルタ装置。
【請求項２２】
前記中空シャフト（５）は、前記第二の室（５’’）に開口部（１１）を有することを特徴とする請求項２１に記載のフィルタ装置。
【請求項２３】
前記濯ぎ媒体を供給するための細い管（１０）が、前記クリーニング装置として設置されていることを特徴とする請求項２１に記載のフィルタ装置。
【請求項２４】
前記細い管（１０）には、該細い管（１０）の濯ぎ戻しのための装置（２３）が結合していることを特徴とする請求項２３に記載のフィルタ装置。
【発明の詳細な説明】
【技術分野】
【０００１】
本発明は、未浄化の汚染された液体、特に廃水を収容するコンテナー内のフィルタ装置に関する。この液体を浄化するため、フィルタ装置は、相互に離間した幾つかのフィルタ素子から成り、回転可能に支持された中空シャフト上に、円形又は多角形状に配置されている。フィルタ素子は、固定のパイプラインを経由して、浄化された液体を透過液としてコンテナーから取り出すために、中空シャフトに接続されている。
【背景技術】
【０００２】
一般的なフィルタ装置は、例えば特許文献１から知ることができる。コンテナー内に未浄化の液体があり、フィルタ装置のフィルタ素子によって浄化される。浄化された液体は、中空シャフトの導管システムを経由して透過液として供給される。透過液は、固定のパイプラインによってコンテナーの外に移送されるが、透過液の中空シャフトから、固定のパイプラインへの移送は、回り継手ベアリング内で行われる。回り継手ベアリングは、透過液ラインを未浄化の液体に対して封止すると考えられている。この点は、封止し損なった時に欠点となる。未浄化の液体は、透過液を通過することが可能となり、これまで浄化した液体が再び汚染される。これは、廃水の浄化に関して重大な逆効果である。
【０００３】
【特許文献１】ＷＩＰＯ特許公開公報  ＷＯ  ０１／８０９７１Ａ１
【発明の開示】
【発明が解決しようとする課題】
【０００４】
本発明の目的は、廃水の透過液への浸透が確実に阻止されることを保証するという課題を解決することにある。
【課題を解決するための手段】
【０００５】
上記の課題は、請求項１に記載された特徴を有するフィルタ装置によって解決される。
【０００６】
もし、回転する中空シャフトが、透過液から廃水を、少なくとも２つの封止によって分離するなら、もし、未浄化の液体、例えば廃水と、浄化した液体、例えば透過液とを分離するために、封止の間に媒体が配置されるなら、たとえ、封止の一つが破れた場合であっても、２つの液体は互いに混ざることはなく、どの様な場合でも、廃水が透過液ラインに入り込めないことが保証される。結果として、損傷を受けた封止に面している液体が、最初に媒体に入り込む。この、いわゆる遮断媒体の体積は、２つの液体が透過液ラインで混ざる前に、遮断媒体から液体を取り除くのに十分長い時間が残されるように、都合良く十分に大きくなっている。漏れた液体は、最初に媒体の空間に入る。そして、透過液を汚染することなく、再び取り除くことができる。
【０００７】
もし、遮断媒体が、液体又は気体、例えば空気又は水であれば、非常に簡単で効果的な、廃水と透過液との分離が可能となる。もし、この遮断媒体が透過液に浸透しても、透過液が遮断液体によって汚染されないためには、水は浄化されていなければいけない。
【０００８】
もし、遮断媒体が、廃水又は透過液に対して超過圧力を有している場合、もし漏れがあったら、遮断媒体は廃水又は透過液の方向に流れる。これは、廃水と透過液との間に付加的な分離機能を生み出す。
【０００９】
もし、封止された排水箱が、中空シャフトと固定のパイプラインとの間の遷移点に設置されている場合、排水箱は、未浄化の液体領域と浄化された液体領域とを分離するが、たとえ封止の一つが破れたとしても、２つの液体は混ざらず、むしろ最初に液体が排水箱の中に浸透し、他の液体から分離し続けることが保証される。浄化された水が汚染されることなく、装置を補修するための十分な時間が残される。このことは、回転するフィルタ装置と固定のパイプラインとの信頼できる接続を生み出し、漏れが、非常に早く、すなわち液体が透過液の流れに混合する前に、検知されることを可能にする。
【００１０】
中空シャフトを介してコンテナーから取り出される透過液は、もし、中空シャフトが軸方向に開口部を有しているなら、廃水から特に信頼できる方法で分離され得る。軸方向の開口部は、未浄化の液体が入っているコンテナーから透過液を取り出すのに役立つ。中空シャフトの周りに放射状に配置される吸入導管を経由して透過液を取り除く現状の方法に対比して、軸方向の開口部を有する場合、封止が、より信頼できる方法で実行され得る。構造は、個々の封止素子に欠陥が与えられたとしても、それでも廃水が透過液に浸透しないことが保証される様に、設計され得る。軸方向の開口部は、コンテナーから透過液を取り除くために、回転可能な中空シャフトと固定の接続位置との間に広域の交差を可能にする。加えて、そのような構造では、簡単に実行される交差補正が可能であり、また未浄化の液体に対して確実な封止を可能にする。しかしながら、発明によれば、もし漏れが、流出液体を透過液に導かず、最初に排水箱に導くなら、中空シャフトから、透過液を半径方向に取り除くことは、勿論除外されていない。
【００１１】
もし、中空シャフトが、固定の接続部分、例えばコンテナーの壁の接続部分又はフランジに導入される（中空シャフト内部の液体が、固定の接続部分へ流入するようにされる）なら、とくに好都合である。これにより、回転可能な中空シャフトと固定の接続部分との交差部の組み立てを、特に簡単な方法で可能にする。何故なら、接続部分と中空シャフトは簡単な方法で、互いに長さを合わせることができるからである。
【００１２】
中空シャフトと封止素子との間に摩耗スリーブを配置することで、比較的長期間の使用後においても接続部分用の中空シャフトを交換しなくても済むこととなる。単に摩耗スリーブを交換すれば十分で、これはメンテナンスコストとメンテナンス時間に関して特に利点となる。
【００１３】
中空シャフトと接続部分との封止を特に良好にするために、２つの構成要素は半径方向及び／又は軸方向の封止により、互いに回転可能に接続される。このために、例えば、中空シャフトが接続部分に挿入される。この場合、中空シャフトは、接続部分の内径よりも小さな外径を有する。半径方向の封止は、中空シャフトの外径と接続部分の内径との間で調整される。それは、流出ラインから透過液が出ることなく、又は流出ラインに未浄化の液体が浸透することなく、心合わせ誤差や製造公差を補償する。
【００１４】
もし、中空シャフトがころ軸受け及び／又は摩擦ベアリングを有する支持ユニットに支持されていれば特に好都合である。この支持ユニットは、半径方向及び／又は軸方向の封止素子、例えば封止リングによって、浄化された及び未浄化の液体に対して非常に簡単に封止され得る。浄化された液体に対して、及び未浄化の液体に対して、少なくとも１つ、好ましくは幾つかの封止リングが備えられていれば好都合である。こうすれば、たとえ一つの封止リングが壊れても十分な封止を保証し続ける、非常に確実な封止が達成される。
【００１５】
封止リングを有する支持ユニットの封止は、排水箱内の支持ユニットがコンテナー内で乾燥した状態で配置されることを可能にする。これによって、一方で、中空シャフトの支持が汚染されることなく、限られた環境内で操作され、非常に長いサービスライフを達成する。他方で、排水箱内に支持ユニットを配置することは、排水箱が同時に、浄化された及び未浄化の液体領域を分離する機能を有することとなる。これにより、一方で支持のため、他方で中空シャフトと透過液流出の封止のための大きな空間が生まれる。この支持空間で、封止は非常に確実に行うことが可能である。何故なら、幾つかの封止が持ち込めるように十分な建造室が示されているからである。それ故、透過液流出の確実な封止が保証される。
【００１６】
もし、中空シャフトと接続部分が互いに排水箱に導入される（中空シャフトと接続部分内の液体が排水箱に流れ入る）なら、特に確実な封止が達成される。何故ならば、排水箱は、配置された封止リングに加え、浄化された液体を未浄化の液体から分離することを保証するからである。たとえ、封止リングが有効でないとしても、浄化された液体と未浄化の液体は直接に混ざり合うことはなく、むしろ最初に排水箱に流れ入る。流れ出る液体は、排水箱から吸入により取り除かれる。又は、少なくとも、封止装置が故障し修理されねばならないことを、センサによって示され得る。
【００１７】
特に良好な封止のために、少なくとも一つの封止素子に、特に封止素子の２つの封止リングの間に、排水箱を浄化された及び未浄化の液体から遮断するための、グリース室又は液体室が備えられている。これによって、付加的な封止保護が達成される。グリース室又は液体室は通常、２つの封止リングの間に備えられる。特別な液体が、コンテナー又は透過液流出から流出できるように、２つの封止リング及びグリース室又は液体室に浸透しなければならない。このことが実際に起こっても、２つの液体は互いに混ざらず、むしろ特別な液体が最初に排水箱に流入する。２つの液体の接触、特に、未浄化の液体が透過液流出に流入することは、このようにして排除される。加えて、グリースは、封止素子と摩耗スリーブとの間で潤滑フィルムとして機能する。
【００１８】
欠陥のある封止位置を検出するために、グリース室又は液体室は、グリース又は液体の量及び／又は圧力を測定するセンサと連携するように構成されている。グリース又は液体の量又は圧力が減じるとすぐに、封止が漏れ、グリース又は液体がグリース室又は液体室から流出していると推論することが可能である。それ故、封止のメンテナンスが必要となる。
【００１９】
排水箱に水が入ってきたことを検出するセンサが備えられていれば、特に好都合である。排水箱は、例えば、センサで検出された後に、ポンプで排水され得る流出液体のためのキャッチコンテナーとして機能する。加えて、このことにより、封止が認容しがたいほどの欠陥があるかどうか検出することができ、また適当なメンテナンスを開始することができる。
【００２０】
フィルタ装置は、チェーン駆動を有する簡単な方法で駆動される。駆動ギアが摩擦ベアリングの中空シャフトに設置されている。摩擦ベアリングは、特に有利な方法で、チェーン駆動の発生力を取り上げる。更に、摩擦ベアリングは、特別な封止なしで、廃水中に設置することが可能である。このことは、コンテナー内で中空シャフト、加えてフィルタ装置の非常に簡単で経済的な支持を可能にする。勿論、この場所で、ころ軸受を有する支持を用いることも可能である。
【００２１】
中空シャフトが互いに分離している２つの室に分かれていることの結果として、中空シャフトは、透過液を取り除くこと、フィルタ素子を洗浄することの両方に使用することが可能である。中空シャフトの一つの室が、透過液を取り除くために機能する。クリーニング媒体、例えば濯ぎ空気又は濯ぎ液体を有する、フィルタ素子を洗浄するためのクリーニング装置は、第二の室に設置されている。クリーニング装置は、濯ぎ空気を中空シャフトの第二の室に吹き込む。中空シャフトの第二の室の部分に開口部が設けられているなら、濯ぎ空気は、この開口部を通って中空シャフトから出て、未浄化の液体の表面のフィルタ素子に沿ってブラシする。フィルタ素子上にある堆積物が、濯ぎ空気によって同伴され、こうして、フィルタ素子の表面が洗浄される。
【００２２】
中空シャフトに濯ぎ空気を導入するための細い管が、クリーニング装置として備えられているなら特に好都合である。細い管は、濯ぎ空気が出られる開口部を有する。それは、中空シャフトに通常、固定で設置される。しかし、特に良好なクリーニングを生み出すために、軸方向に移動可能なように設計され得る。
【００２３】
細い管を汚染物質から自由にするために、細い管は、濯ぎ戻しのための装置と有利に結合している。この装置は、中空シャフトに設置されており、濯ぎ空気の替わりに、細い管の中の汚染物質を取り除くための洗浄液が移送される。この洗浄液には、完全なクリーニングを達成するために、化学添加物が添加され得る。
【００２４】
本発明の他の利点は、続く典型的な実施の形態で示される。
【発明の効果】
【００２５】
本発明のフィルタ装置は、相互に離間した幾つかのフィルタ素子から成り、回転可能に支持された中空シャフト上に、円形又は多角形状に配置されており、フィルタ素子は、固定のパイプラインを経由して、浄化された液体を透過液としてコンテナーから取り出すために、中空シャフトに接続されているので、廃水の透過液への浸透が確実に阻止される。
【発明を実施するための最良の形態】
【００２６】
以下、本発明の実施の形態及び更なる利点を、図面を参照しながら詳述する。
【００２７】
図１は、未浄化の液体、特に廃水３を有するコンテナー２に設置されたフィルタ装置１を示す。フィルタ装置１は、円形又は多角形状に配置され、中空シャフト
５に回転可能に支持され、幾つかの相互に離間して配置されたフィルタ素子４からなる。廃水３は、フィルタ素子４の外側に配置され、フィルタ素子４を介して供給ライン６に吸い込まれる。供給ライン６は、中空シャフト５へ導入され、それからコンテナー２外の固定パイプライン７へと移送される。
【００２８】
中空シャフト５は、この例では、中空シャフト５の駆動ギア９に作用するチェーン駆動装置を有する駆動モータ８によって、フィルタ装置１と共に駆動される。細い管１０は、中空シャフト５へ導入される。これを介して濯ぎ媒体、例えば、濯ぎ空気又は濯ぎ液体が中空シャフト５の内部に導入される。中空シャフト５は、細い管１０の部分では開口部１１を有している。これを介して、細い管１０の濯ぎ媒体が中空シャフト５から出て、廃水３からフィルタ素子４に沿って上方へ逃げる。こうしている間に、濯ぎ媒体は、フィルタ素子４、クリーニングフィルタ素子４に付着した汚染物質を払い除ける。
【００２９】
中空シャフト５は、ベアリング１２と１３によって、その２つの端部が回転可能に取り付けられている。ベアリング１３は、廃水３中に設置される。それ故、摩擦ベアリングとして設計されている。勿論、他の実施の形態では、この場所にころ軸受けを使用することも可能である。ベアリング１２は、ころ軸受として設計されている。そして、好ましくは、乾燥した場所に設置される。ベアリング１２は、排水箱１４に組み入れられる。そして、パイプライン７への接続を確立するフランジ１５への遷移点で中空シャフト５を支持する。フランジ１５は、永久的にコンテナー２と、固定パイプライン７と排水箱１４に接続されている。この側から、廃水が排水箱１４に入り込むことがないようにするためである。その部分に関して、中空シャフト１５は、廃水３が排水箱１４に入らない方法と同様に、浄化された液体が排水箱１４に入ることが阻止されるように、排水箱１４に対して封止されている。
【００３０】
更に、図１は、中空シャフト５が２つの室５’と５’’に分割されていることを示している。浄化された液体は、室５’内部でコンテナー２の外に移送される。これに対して、室５’’は開口部１１を有し、細い管１０からフィルタ装置１へ供給された濯ぎ空気は、その開口部を介して逃げ出ることが可能である。２つの室５’、５’’は互いに接続されることはない。
【００３１】
図２は、排水箱１４内での中空シャフト５の支持と、コンテナー２の壁とフランジ１５への接続を概略的に示している。中空シャフト５は、その端部がフランジ１５内に設置されて、浄化された液体がコンテナー２から外に移送するための接続を生み出す。封止と、排水３と浄化された液体１６の分離とを達成するために、中空シャフト５は排水箱１４の内側で、廃水３に対して封止されている。同様に、浄化された液体１６に対して封止素子１７、１８により封止されている。封止素子１７は、中空シャフト５の端部に位置し、排水箱１４に対して浄化された液体１６の封止を成し遂げる。封止素子１８は、中空シャフト５の端部から更に離れて位置し、排水箱１４に対して廃水３の封止を成し遂げる。
【００３２】
封止素子１７及び封止素子１８は、少なくとも相互に離間した２つの封止からなる。特別な封止リングの間に室があり、この室にライン１９を介してグリースが圧入される。封止素子１７、１８の封止を補強及び／又は動作を確認するために、替わりに液体又は空気を圧入しても良い。更に、ライン１９には、グリース又は液体が消耗しているかどうかを検出し得る測定装置２０が備えられている。消耗している場合、少なくとも一つの封止素子が故障しており、これに対して適当な対策が施し得ることを決定することが可能である。
【００３３】
中空シャフト５及び排水箱１４に対して、封止素子１７、１８が配置されていることの重要な利点は、浄化された液体１６と廃水３が、封止素子及び排水箱１４によって、互いに分離していることである。一つ又はたとえ両方の封止素子１７、１８が故障した場合でも、廃水３が浄化された液体１６のラインに入り、こうして浄化された液体１６が汚染されるという直接の危険はない。このことは、排水箱１４が、封止素子の所まで満たされた場合にのみ起こり得る。これを防ぐために、排水箱１４内に更に、吸引除去装置２１を備えることが可能である。排水箱１４内に流出液体があると直ぐに、吸引除去装置２１により排水箱１４から取り除かれ、排水３に戻されることとなる。
【００３４】
中空シャフト５の端部には、摩耗スリーブ２２が備えられている。摩耗スリーブ２２は、封止素子１７、１８の部分に配置されている。これは、フィルタ装置１をコンテナー２から取り外すことなく、必要に応じて交換することができる。これにより、可能な限り、システムの、特に経済的なメンテナンスが成し遂げられる。
【００３５】
図３は、中空シャフト５の駆動部分での、中空シャフト５の支持の概略図を示す。図３から、支持体１３は廃水３内にあることが明白である。ベアリング１３は、それ故、なるべく摩擦ベアリングで構成される。駆動ギア９は直接にフィルタ装置１に作用する。それは中空シャフト５にしっかり留められている。それは、チェーン又はベルトによりモータ８（図１）により駆動される。
【００３６】
細い管１０は、固定に設計されているが、中空シャフト５とその室５’に延伸している。濯ぎライン２３は、細い管１０の端部に設けられている。濯ぎ液体は、濯ぎライン２３を通って、濯ぎ空気の流れる方向とは逆の方向に細い管１０を経由して導かれ得る。これにより、非常に簡単な方法で、細い管１０の洗浄を可能にする。
【００３７】
本発明は、示された典型的な実施の形態に限定されない。特許請求の範囲、明細書に用いられている‘‘コンテナー’’という概念は、勿論、容器又は平なべをも含んでいる。また、示された半径方向の封止の替わりに、軸方向の封止素子が適当な構成で用いることができる。特に、発明の範囲内で、いつでも変更は可能である。
【図面の簡単な説明】
【００３８】
【図１】本発明のフィルタ装置の概略図を示す。
【図２】中空シャフトと固定のパイプラインの間の遷移点における中空シャフトの支持の概略図である。
【図３】遷移点に面していない端部における中空シャフトの支持と駆動装置の概略図である。
【符号の説明】
【００３９】
１  フィルタ装置
２  コンテナー
３  廃水
４  フィルタ素子
５  中空シャフト
７  固定パイプライン
１６  透過液（浄化された液体）
１７  封止素子
１８  封止素子
【図１】
2007105726.tif 000003
【図２】
2007105726.tif 000004
【図３】
2007105726.tif 000005
【外国語明細書】
1.  Title of Invention
Filter Apparatus
2.  Detailed Description of Invention
2007105726.tif 000006
2007105726.tif 000007
2007105726.tif 000008
2007105726.tif 000009
2007105726.tif 000010
2007105726.tif 000011
2007105726.tif 000012
2007105726.tif 000013
2007105726.tif 000014
2007105726.tif 000015
2007105726.tif 000016
2007105726.tif 000017
3.  Brief Description of Drawings
Figure 1 shows a schematic view of a filter apparatus in accordance with the
invention.
Figure 2 shows a schematic view of the support of the hollow shaft in the
area of the transitional area between the hollow shaft and the stationary
pipeline.
Figure 3 shows a schematic view of the drive and of the support of the hollow
shaft at the end facing away from the transitional area.
4.  Description of reference characters
1   filter apparatus
2   container
3   wastewater
4   filter element
5   hollow shaft
7   stationary pipeline
16  permeate(clarified liquid)
17  sealing element
18  sealing element
2007105726.tif 000018
2007105726.tif 000019
2007105726.tif 000020
2007105726.tif 000021
1.  Abstract
2007105726.tif 000022
2.  Representative Drawing
Figure 1
2007105726.tif 000023
2007105726.tif 000024
2007105726.tif 000025